【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
ワイヤレス通信デバイスであって、
前記デバイス上に存在する複数のドメインであって、前記複数のドメインは、少なくとも１つのプラットフォームによってサポートされており、前記複数のドメインの各ドメインは、前記少なくとも１つのプラットフォーム上で動作するコンピューティングリソースの構成を含み、前記複数のドメインの各ドメインは、ドメイン所有者を有し、前記複数のドメインの各ドメインは、そのドメイン所有者のための機能を実行するように構成され、各ドメイン所有者は、そのドメインのオペレーションのためのポリシーを指定することができる、複数のドメインと、
前記複数のドメインのうちの１つであるセキュリティドメインであって、前記セキュリティドメインは、外部ステークホルダと前記セキュリティドメインとの間における信頼のレベルを決定するように構成された、セキュリティドメインと、
前記複数のドメインのうちのもう１つの上に存在しているシステムワイドドメインマネージャであって、前記システムワイドドメインマネージャが存在している前記ドメインは、前記セキュリティドメインに対して補助的であり、前記システムワイドドメインマネージャは、前記セキュリティドメインから受信された特権レベルに基づいて前記複数のドメインのうちの１つまたは複数の補助ドメインの上で前記ポリシーを実施するように構成されており、前記特権レベルは、前記外部ステークホルダと前記セキュリティドメインとの間における前記信頼のレベルに基づく、システムワイドドメインマネージャと、
を含み、
前記セキュリティドメインのポリシーが、前記システムワイドドメインマネージャが存在する前記ドメインのポリシーと矛盾するとき、前記システムワイドドメインマネージャは、前記セキュリティドメインの前記ポリシーを実施するようにさらに構成された、
ワイヤレス通信デバイス。
【請求項２】
前記外部ステークホルダは、前記デバイス上のアプリケーションのアプリケーションプロバイダである、請求項１に記載のデバイス。
【請求項３】
前記セキュリティドメインは、カード発行者によって所有されるカード発行者セキュリティドメインである、請求項２に記載のデバイス。
【請求項４】
前記外部ステークホルダは、前記１つまたは複数の補助ドメインのうちの少なくとも１つの所有者を含む、請求項１に記載のデバイス。
【請求項５】
前記セキュリティドメインおよび前記システムワイドドメインマネージャは、グローバルプラットフォーム（ＧＰ）準拠カード上に存在する、請求項１に記載のデバイス。
【請求項６】
前記複数のドメインは、グローバルプラットフォーム（ＧＰ）準拠カード上に存在しており、各ドメインは、１つまたは複数のオフカードエンティティと通信するように構成された、請求項１に記載のデバイス。
【請求項７】
前記特権レベルは、委任管理特権（delegated management privilege）または承認管理特権（authorized management privilege）のうちの少なくとも１つを含む、請求項１に記載のデバイス。
【請求項８】
前記委任管理特権および前記承認管理特権はそれぞれ、前記システムワイドドメインマネージャが、対応するレベルの自律を伴って前記ポリシーを実施することを可能にするように構成された、請求項７に記載のデバイス。
【請求項９】
前記承認管理特権に対応する前記自律のレベルは、前記委任管理特権に対応する前記自律のレベルよりも高い、請求項８に記載のデバイス。
【請求項１０】
各ドメインは、１つの状態に関連付けられており、それぞれの関連付けられている状態は、インストールされた状態、選択可能な状態、パーソナライズされた状態、またはロックされた状態のうちの１つである、請求項１に記載のデバイス。
【請求項１１】
前記デバイスは、前記システムワイドドメインマネージャの前記１つまたは複数の補助ドメインのうちの少なくとも１つの上にロードされる１つまたは複数のアプリケーションをさらに含み、前記１つまたは複数のアプリケーションはそれぞれ、１つの状態に関連付けられており、それぞれの関連付けられている状態は、インストールされた状態、選択可能な状態、パーソナライズされた状態、またはロックされた状態のうちの１つである、請求項１に記載のデバイス。
【請求項１２】
前記１つまたは複数のアプリケーションのうちの１つは、制御権限者からの表示に従って前記関連付けられている状態を別の状態へ変更するように構成されており、前記別の状態および前記制御権限者からの前記表示は、前記特権レベルに基づいており、前記制御権限者は、前記セキュリティドメインまたは前記システムワイドドメインマネージャのうちの１つである、請求項１１に記載のデバイス。
【請求項１３】
前記システムワイドドメインマネージャは、
前記システムワイドドメインマネージャが存在している前記ドメインのオペレーションのための前記ポリシーを実施し、
前記システムワイドドメインマネージャが存在している前記ドメインに関連して、前記補助ドメインのそれぞれのポリシーの前記実施を調整し、または
前記補助ドメイン間における対話を、前記補助ドメインのそれぞれのポリシー、および前記システムワイドドメインマネージャが存在している前記ドメインの前記ポリシーに従って調整する
ようにさらに構成された、請求項１に記載のデバイス。
【請求項１４】
前記デバイス上に存在する複数のドメインを含むワイヤレス通信システムであって、前記複数のドメインは、少なくとも１つのプラットフォームによってサポートされており、前記複数のドメインの各ドメインは、前記少なくとも１つのプラットフォーム上で動作するコンピューティングリソースの構成を含み、前記複数のドメインの各ドメインは、ドメイン所有者を有し、各ドメイン所有者は、そのドメインのオペレーションのためのポリシーを指定することができる、ワイヤレス通信システムにおいて、
セキュリティドメインが、外部ステークホルダと前記セキュリティドメインとの間における信頼のレベルを決定するステップであって、前記セキュリティドメインは、前記複数のドメインのうちの１つである、ステップと、
前記セキュリティドメインに対して補助的である、前記複数のドメインのうちのもう１つの上に存在しているシステムワイドドメインマネージャが、前記セキュリティドメインから受信された特権レベルに基づいて前記複数の前記ドメインのうちの１つまたは複数の補助ドメインの上で前記ポリシーを実施するステップであって、前記特権レベルは、前記外部ステークホルダと前記セキュリティドメインとの間における前記信頼のレベルに基づく、ステップと、
前記セキュリティドメインのポリシーが、前記システムワイドドメインマネージャが存在する前記ドメインのポリシーと矛盾するとき、前記システムワイドドメインマネージャは、前記セキュリティドメインの前記ポリシーを実施するステップと、
を含む、方法。
【請求項１５】
前記システムワイドドメインマネージャが、前記システムワイドドメインマネージャが存在している前記ドメインの前記ポリシーを実施するステップ、
前記システムワイドドメインマネージャが、前記システムワイドドメインマネージャが存在している前記ドメインに関連して、前記補助ドメインのそれぞれのポリシーの前記実施を調整するステップ、または
前記システムワイドドメインマネージャが、前記補助ドメイン間における対話を、前記補助ドメインのそれぞれのポリシー、および前記システムワイドドメインマネージャが存在している前記ドメインの前記ポリシーに従って調整するステップ
をさらに含む、請求項１４に記載の方法。
【請求項１６】
前記外部ステークホルダは、前記１つまたは複数のデバイス上のアプリケーションのアプリケーションプロバイダである、請求項１４に記載の方法。
【請求項１７】
前記セキュリティドメインは、カード発行者によって所有されるカード発行者セキュリティドメインである、請求項１４に記載の方法。
【請求項１８】
ワイヤレス通信デバイスであって、
前記デバイス上に存在する複数のドメインであって、前記複数のドメインは、少なくとも１つのプラットフォームによってサポートされており、前記複数のドメインの各ドメインは、前記少なくとも１つのプラットフォーム上で動作するコンピューティングリソースの構成を含み、前記複数のドメインの各ドメインは、ドメイン所有者を有し、前記複数のドメインの各ドメインは、そのドメイン所有者のための機能を実行するように構成され、各ドメイン所有者は、そのドメインのオペレーションのためのポリシーを指定することができる、複数のドメインと、
前記複数のドメインのうちの１つであるグローバルプラットフォーム（ＧＰ）準拠カードのカード発行者セキュリティドメインであって、前記カード発行者セキュリティドメインは、外部ステークホルダと前記カード発行者セキュリティドメインとの間における信頼のレベルを決定するように構成された、カード発行者セキュリティドメインと、
前記複数のドメインのうちのもう１つの上に存在しているシステムワイドドメインマネージャであって、前記システムワイドドメインマネージャが存在している前記ドメインは、前記カード発行者セキュリティドメインに対して補助的であり、前記システムワイドドメインマネージャは、前記カード発行者セキュリティドメインから受信された特権レベルに基づいて前記複数のドメインのうちの１つまたは複数の補助ドメインの上で前記ポリシーを実施するように構成されており、前記特権レベルは、前記外部ステークホルダと前記カード発行者セキュリティドメインとの間における前記信頼のレベルに基づく、システムワイドドメインマネージャと
を含み、
前記セキュリティドメインのポリシーが、前記システムワイドドメインマネージャが存在する前記ドメインのポリシーと矛盾するとき、前記システムワイドドメインマネージャは、前記セキュリティドメインの前記ポリシーを実施するようにさらに構成された、
ワイヤレス通信デバイス。